(57)【要約】【課題】伸縮糸により一体的に連続編成され、臀部と股部と脚部を有してウエストから大腿部をカバーするロングタイプのガードルについて、着用時に、その直立姿勢において大腿上部内側に隙間を生じるように体型補整機能を付与する。【解決手段】ガードルＸが、縫製部を少なくして着用時の外衣への影響を減じた薄編地からなり、身体部位に対応して体型補整機能を付与する弾性力が異なる複数の伸縮領域を備えている。伸縮領域のうち、着用前面で下腹部を引き締めるための面圧を加える下腹部領域１と、着用背面で尻の左右の丸みに沿って臀部を引き上げるように帯状の締め付けを加えてヒップ補整ラインを形成する足繰り部領域（２）と、着用状態で大腿部周方向から締め付けを加えてレッグ補整バンドを形成する大腿上部領域３に対する編成を、それぞれ強圧編みにより緊迫力を増補して弾力形成している。【選択図】      図１
0003108132.tif 000002
【実用新案登録請求の範囲】
【請求項１】
伸縮糸により一体的に連続編成され、臀部と股部と脚部を有してウエストから大腿部をカバーするロングタイプのガードルにおいて、
縫製部を少なくして着用時の外衣への影響を減じた薄編地からなり、身体部位に対応して体型補整機能を付与する弾力性が異なる複数の伸縮領域を備えたガードルであって、
前記伸縮領域のうち、着用前面で下腹部を引き締めるための面圧を加える下腹部領域と、着用背面で尻の左右の丸みに沿って臀部を引き上げるように帯状の締め付けを加えてヒップ補整ラインを形成する足繰り部領域と、着用状態で大腿部周方向から締め付けを加えてレッグ補整バンドを形成する大腿上部領域に対する編成を、それぞれ強圧編みにより緊迫力を増補して弾力形成してなり、着用時に、その直立姿勢において大腿上部内側に隙間を生じるようにしたことを特徴とするガードル。
【請求項２】
他の伸縮領域が、着用前面の下腹部周囲領域及び下腹部両側領域と、着用背面の尻部周囲領域及び尻部領域と、大腿下部領域と、股部領域からなり、
前記下腹部周囲領域、尻部周囲領域、及び大腿下部領域を、それぞれ隣接する下腹部領域、足繰り部領域、及び大腿上部領域に対する編成の緊迫力より弱くして締め付けによる身体部位への面圧を分散させるとともに、前記下腹部両側領域と尻部領域を、パンティストッキング用の極薄編地と同等の平編みにより編成してなり、
それぞれの伸縮領域が協働的な補整機能を有するするように組み合わせて配置したものである請求項１記載のガードル。
【考案の詳細な説明】
【技術分野】
【０００１】
本考案は、伸縮糸により一体的に連続編成され、臀部と股部と脚部を有してウエストから大腿部をカバーするロングタイプのガードルに係り、詳しくは、縫製部を少なくして着用時の外衣への影響を減じた薄編地からなり、身体部位に対応して体型補整機能を付与する弾力性が異なる複数の伸縮領域を備えたガードルに関する。
【背景技術】
【０００２】
従来より、身体部位に応じた適度な補整を可能とするガードルやこうした補整機能（ガードル機能に同じ）を付与したインナーボトムが知られている（例えば、特許文献１、２及び３を参照）。
【特許文献１】特開２００１−６４８０１号公報
【特許文献２】特開２０００−３４５４０７号公報
【特許文献３】特開平９−２９６３０４号公報
【０００３】
上記従来技術のほかにも、体型補整機能をもたせたガードル類があるが、この補整機能を強化しようとすると、概して厚地なものになりがちであり、見栄えの低下や、凹凸その他の浮きだし等による外衣（フィットするパンツ等。）への影響が問題となっていた。
【０００４】
ところで、薄地のインナーボトムとしてパンティストッキングがあり、一部に補整機能を付与したものもある（例えば、特許文献４を参照）。しかしながら、ガードル類に比べて補整効果が弱いという問題があった。
【特許文献４】実開平６−２５３０６号公報
【０００５】
こうしたなかで、ストッキング並の薄さで補整機能（又はガードル機能）を確保し、かつ、太ももの引き締めを増補することにより、着用時に太ももの間に隙間をつくるガードルが望まれる。なお、下腹部の押さえとピップアップは共通的な補整機能といえる。
【考案の開示】
【考案が解決しようとする課題】
【０００６】
そこで、解決しようとする問題点は、ストッキング並の薄さで補整機能（又はガードル機能）を確保し、縫製部を少なくして着用時の外衣への影響を減じること、及び太ももの引き締めを増補することにより、着用時に太ももの間に隙間をつくるようなロングタイプのガードルを構成する点にある。
【０００７】
本考案は、このような事情に鑑みなされたものであって、上記課題を解消し、縫製部を少なくして着用時の外衣への影響を減じた薄編地からなり、身体部位に対応して体型補整機能を付与する弾力性が異なる複数の伸縮領域を備えたガードルを提供するものである。
【課題を解決するための手段】
【０００８】
課題を解決するため本考案は、伸縮糸により一体的に連続編成され、臀部と股部と脚部を有してウエストから大腿部をカバーするロングタイプのガードルにおいて、
縫製部を少なくして着用時の外衣への影響を減じた薄編地からなり、身体部位に対応して体型補整機能を付与する弾力性が異なる複数の伸縮領域を備えたガードルであって、
前記伸縮領域のうち、着用前面で下腹部を引き締めるための面圧を加える下腹部領域と、着用背面で尻の左右の丸みに沿って臀部を引き上げるように帯状の締め付けを加えてヒップ補整ラインを形成する足繰り部領域と、着用状態で大腿部周方向から締め付けを加えてレッグ補整バンドを形成する大腿上部領域に対する編成を、それぞれ強圧編みにより緊迫力を増補して弾力形成してなり、着用時に、その直立姿勢において大腿上部内側に隙間を生じるようにしたことを特徴とするものである。
【考案の効果】
【０００９】
この構成によれば、外衣への響きを低減して、下腹部を押さえて、ピッフアップと、太ももの引き締めが可能であり、着用時に、その直立姿勢において太ももの間に隙間をつくることができる。
【考案を実施するための最良の形態】
【００１０】
本考案を実施するための最良の形態は、上記構成において、他の伸縮領域が、着用前面の下腹部周囲領域及び下腹部両側領域と、着用背面の尻部周囲領域及び尻部領域と、大腿下部領域と、股部領域からなり、前記下腹部周囲領域、尻部周囲領域、及び大腿下部領域を、それぞれ隣接する下腹部領域、足繰り部領域、及び大腿上部領域に対する編成の緊迫力より弱くして締め付けによる身体部位への面圧を分散させるとともに、前記下腹部両側領域と尻部領域を、パンティストッキング用の極薄編地と同等の平編みにより編成してなり、それぞれの伸縮領域が協働的な補整機能を有するするように組み合わせて配置している。
【実施例】
【００１１】
本考案の一実施例について添付図面を参照して以下説明する。
【００１２】
図１は本考案の一実施例であるガードル（以下、実施例ガードル。）の正面視説明図である。
【００１３】
図２は同じく背面視説明図である。
【００１４】
図１及び２に示すように、実施例ガードルＸは、伸縮糸により一体的に連続編成され、臀部と股部と脚部を有してウエストから大腿部をカバーするロングタイプのガードルであり、縫製部を少なくして着用時の外衣への影響を減じた薄編地からなり、身体部位に対応して体型補整機能を付与する弾力性が異なる複数の伸縮領域を備えたものである。
【００１５】
ここで、伸縮領域のうち下腹部領域１は、着用前面で下腹部を引き締めるための面圧を加えるために設けられている。
【００１６】
また、足繰り部領域２は、着用背面で尻の左右の丸みに沿って臀部を引き上げるように帯状の締め付けを加えてヒップ補整ラインを形成するために設けられている。
【００１７】
また、大腿上部領域３は、着用状態で大腿部周方向から締め付けを加えてレッグ補整バンドを形成するために設けられている。
【００１８】
そして、これらの領域（１，２，３）に対する編成を、それぞれ強圧編み（好適には、１×１リブ組織とする。）により緊迫力を増補して弾力形成している。
【００１９】
特徴的な補整機能は、着用時に、その直立姿勢において大腿上部内側に隙間を生じるようにした点である。
【００２０】
さらに、全体構成から理解されるように、他の伸縮領域として、着用前面の下腹部周囲領域４及び下腹部両側領域５と、着用背面の尻部周囲領域６及び尻部領域７と、大腿下部領域８と、股部領域９を有している。
【００２１】
ここで、下腹部周囲領域４、尻部周囲領域６、及び大腿下部領域８は、それぞれ隣接する下腹部領域１、足繰り部領域２、及び大腿上部領域３に対する編成の緊迫力より弱くして（好適には、２×１リブ組織とする。）、締め付けによる身体部位への面圧を分散させるために設けられている。
【００２２】
また、下腹部両側領域５と尻部領域７は、パンティストッキング用の極薄編地と同等の平編み（プレーン組織）により編成し、引き締めや面圧を加える機能に与しない構成とされ、積極的には、下腹部両側領域５の形成は血行障害の防止効果を求めたものであり、尻部領域７の形成はピップに丸みを持たせるための整形効果を求めたものである。なお、股部領域９は別生地を縫着する。
【００２３】
こうして、それぞれの伸縮領域が協働的な補整機能を有するするように組み合わせて配置している。
【産業上の利用可能性】
【００２４】
本考案はロングタイプのガードルとして量産可能であり、着用性及び利便性を向上したものであるから、産業上有益である。
【図面の簡単な説明】
【００２５】
【図１】実施例ガードルの正面視説明図である。
【図２】同じく背面視説明図である。
【符号の説明】
【００２６】
１  下腹部領域
２  足繰り部領域〔ヒップ補整ライン〕
３  大腿上部領域〔レッグ補整バンド〕
４  下腹部周囲領域
５  下腹部両側領域
６  尻部周囲領域
７  尻部領域
８  大腿下部領域
９  股部領域
Ｘ  ガードル〔本考案〕
【図１】
0003108132.tif 000003
【図２】
0003108132.tif 000004